(57)【要約】  この明細書の記述は開口（１３）を設けた住宅の壁、ドア扉、シャッタのような薄い壁（１４）を、住宅のフレーム、ドアフレーム、壁の開口端縁等のような同様に開口を設けた壁支持体（１６）に固着するためのスナップ固定具（１０）に関するものである。このスナップ固定具は壁支持体（１６）に、その開口（１２）内に配置することができるベース部（１８）と、このベース部（１８）から離れるように突出するヘッド部（２０）とを有する。このヘッド部（２０）は端部から、ベース部（１８）の方向に、縦の部分において、最初は増大し、次に再び減少する直径（４９）を有する。ヘッド部（２０）はおす形プラグイン部分である。切除めす形プラグイン部分（１３）は薄い壁（１４）の開口（１３）によって形成され、担持されている。直径（４９）の方向に、半径方向外方に作用するばね（２８）の力に打ち勝つことによって、おす形プラグイン部分は切除めす形プラグイン部分（１３）内に収容される。ヘッド部（２０）は１個、又は２個、又はそれ以上の個数のプッシュ素子、又は保持素子（２２、２３）のための案内、又は通路であって、プッシュ素子、又は保持素子（２２、２３）は案内、又は通路の端部を超えて外方に突出する位置に、少なくとも１個のばね（２８）によって押圧され、案内、又は通路から突出するプッシュ素子、又は保持素子（２２、２３）の端部（５１，５３）は薄い壁（１４）に対し、垂直に延びる投影平面内で三角形、又はボール状であることを特徴とする。
2007524018.tif 000002
【特許請求の範囲】
【請求項１】
住宅の壁、ドア扉、シャッタ等のような開口（１３）を設けた薄い壁（１４）を、住宅のフレーム、ドアフレーム、壁の開口端縁等のような同様に開口を設けた壁支持体（１６）に固着するようにしたスナップ固定具（１０、１１０、２１０、３１０、４１０、５１０、６１０、７１０、８１０、９１０、１０１０、１１１０、１２１０、１３１０、１４１０、１５１０、１６１０、１７１０、１８１０、１９１０）であって、このスナップ固定具は前記壁支持体（１６）にその開口（１２）内に配置することができるベース部（１８）と、このベース部（１８）から突出しているヘッド部（２０）とを有し、前記ヘッド部（２０）はその端部から、その縦の部分において、前記ベース部（１８）の方向に、最初は増大し、次に再び減少する直径（４９）を有し、前記ヘッド部（２０）はおす形プラグイン部分であり、直径（４９）の方向に半径方向外方に作用するばね（２８）の力に打ち勝つことによって、前記薄い壁（１４）の前記開口（１３）によって形成され担持される切除めす形プラグイン部分によって、前記おす形プラグイン部分を収容することができ、これにより、前記ヘッド部（２０）は１個、又は２個、又はそれ以上の個数のプッシュ素子、又は保持素子（２２、２３）のための案内、又は通路（３３、３４）であり、前記プッシュ素子、又は保持素子（２２、２３）は前記案内、又は通路（３３、３４）の端部を超えて外方に突出する位置に、少なくとも１個のばね（２８）によって押圧され、前記案内、又は通路から突出する前記プッシュ素子、又は保持素子（２２、２３）の端部（５１、５３）は前記薄い壁（１４）に対し、垂直に延びる投影平面内で三角形、またはボール状（図７Ｂ、図８、図９、及び図６）であり、これにより、前記ベース部（１１８）は前記薄い壁（１４）の前記開口（１３）の縦端縁に重複する板（１１８）によって形成されているスナップ固定具において、前記ベース部（３２２）は前記ヘッド部（図１２の３２３、図１７Ａ、図１７Ｂ、図１７Ｃ、図１８、及び図２０）とほぼ同一構造、特に鏡像反転構造を有することを特徴とするスナップ固定具。
【請求項２】
前記２個の部分（２２、２３）は両者間に存在する共通ベース板（１８、１１８）を有することを特徴とする請求項１に記載のスナップ固定具。
【請求項３】
前記ヘッド部（３２０）の前記ベース板（１８）はベース部（３１９）のウェブによって形成され、又は担持されている（図１１Ｂ、図１１Ｃ）ことを特徴とする請求項２に記載のスナップ固定具。
【請求項４】
前記ベース部（３１９）は前記ヘッド部（３２０）より一層大きな縦方向の延長部を有し、そのウェブは前記薄い壁（１４）のための支持肩部（５７）を形成している（図１１Ｂ）ことを特徴とする請求項２に記載のスナップ固定具。
【請求項５】
前記ベース部（１９）の前記保持素子、又はプッシュ素子（２２）の自由端（５１）は非対称の屋根形（２６、２４）であり、前記屋根形（２６）の一層、平坦な傾斜部の部分（２６）を案内しながら、縦方向に移動可能な前記保持素子、又はプッシュ素子（２２）を挿入することによって、前記ベース部（１９）を薄い壁、又は壁支持体（１６）の適切な開口（１２）内に挿入することができるが、前記保持素子、又はプッシュ素子（２２）はこれ等の案内（１９）内で、自己ロック性であるため、前記屋根形の一層、傾斜が急な部分（２４）を案内しながら、後方への移動は不可能であることを特徴とする請求項２、３、又は４のいずれか１項に記載のスナップ固定具。
【請求項６】
キー（６８）のような工具を回転することによって、ばね（２８）の力に抗して、前記保持素子、及びプッシュ素子（２２）を引き戻すことができるキー（６８）のような工具を、自己ロック性スナップ固定具（図２５Ａ〜図２７Ｃ、図３６、図３７）を備えるハウジング（９３５）内に、前部、及び／又は後部から挿入することができるように構成したことを特徴とする請求項１〜５のいずれか１項に記載のスナップ固定具。
【請求項７】
前記ベース部（１７１８）、及びヘッド部（１７２０）は保持素子（１７２２、１７２２′）と共に、共通のハウジング（１７３５）を有し、前記保持素子は前記ハウジングの中心線に関して、鏡像反転状態に、前記ベース部（１７１８）、及び前記ヘッド部（１７２０）の両方の内部に配置されており、また前記保持素子はばね（１７２８）の力に抗して、挿入方向に自己ロック性であり、同時に、傾斜面（１７２４、１７２４′）によって、前記開口の端縁に掛合する形状にされており、前記ベース部（１７１８）は１個の壁（１７１６）の開口（１７１２）の接触端縁をカバーし、前記第２壁（１７１４）の開口（１７１３）によって収容可能であり（図５１Ａ〜図５３）、更にベース部（１７１８）は前記挿入方向にほぼ平行な前記ヘッド部（１７２０）の前記保持素子の傾斜面（１７２４）の高さで、前記ハウジング（１７３５）の外壁に沿って延びている（図５１Ａ〜図５３）ことを特徴とし、連結位置に開口（１７１２、１７１３）を設けた薄板金属のような２個の薄い壁（１７１４、１７１６）のためのコネクタとしての請求項１〜５のいずれか１項に記載のスナップ固定具。
【請求項８】
住宅の壁、ドア扉、シャッタ等のような開口（１３）を設けた薄い壁（１４）を、住宅のフレーム、ドアフレーム、壁の開口端縁等のような同様に開口を設けた壁支持体（１６）に固着するようにしたスナップ固定具（１０、１１０、２１０、３１０、４１０、５１０、６１０、７１０、８１０、９１０、１０１０、１１１０、１２１０、１３１０、１４１０、１５１０、１６１０、１７１０、１８１０、１９１０）であって、このスナップ固定具は前記壁支持体（１６）にその開口（１２）内に配置することができるベース部（１８）と、このベース部（１８）から突出しているヘッド部（２０）とを有し、前記ヘッド部（２０）はその端部から、その縦の部分において、前記ベース部（１８）の方向に、最初は増大し、次に再び減少する直径（４９）を有し、前記ヘッド部（２０）はおす形プラグイン部分であり、直径（４９）の方向に半径方向外方に作用するばね（２８）の力に打ち勝つことによって、前記薄い壁（１４）の前記開口（１３）によって形成され担持される切除めす形プラグイン部分によって、前記おす形プラグイン部分を収容することができ、これにより、前記ヘッド部（２０）は１個、又は２個、又はそれ以上の個数のプッシュ素子、又は保持素子（２２、２３）のための案内、又は通路（３３、３４）であり、前記プッシュ素子、又は保持素子（２２、２３）は前記案内、又は通路（３３、３４）の端部を超えて外方に突出する位置に、少なくとも１個のばね（２８）によって押圧され、前記案内、又は通路から突出する前記プッシュ素子、又は保持素子（２２、２３）の端部（５１、５３）は前記薄い壁（１４）に対し、垂直に延びる投影平面内で三角形、またはボール状（図７Ｂ、図８、図９、及び図６）であり、これにより、前記ベース部（１１８）は前記薄い壁（１４）の前記開口（１３）の縦端縁に重複する板（１１８）によって形成されているスナップ固定具において、前記薄い壁（１３１４）の貫通開口（１３１３）内に把持することができる固定カム（３７）を前記ハウジング（１３３５）に設け、プッシュ素子（１３２２）を前記ハウジング（１３３５）内に引き戻すことができる作動ホイール、又は回転ノブ（４３）、又はキーを前記ハウジングから突出させていることを特徴とするスナップ固定具。
【請求項９】
前記作動ホイール（４６）は開放位置にロックするものであることを特徴とする請求項８に記載のスナップ固定具。
【請求項１０】
グリップ装置（４５）が前記ハウジング（１３３５）から突出することを特徴とする請求項１〜９のいずれか１項に記載のスナップ固定具。
【請求項１１】
前記ハウジング（２０１８、２０２０）内に挿入し得るばね部片（２０３７）によって、前記固定カムを置き換えることを特徴とする請求項８、９、及び１０のいずれか１項に記載のスナップ固定具。
【請求項１２】
前記回転ノブ（２０４３）、及び／又はハウジング（２０１８、８３）はプッシュ素子（２０２２）の作動位置（開放位置、閉止位置）を示すマーク（７５、７７、８５）を有することを特徴とする請求項８、９、１０、１１のいずれか１項に記載のスナップ固定具。
【請求項１３】
ハウジング上の（回転ノブ上の）マークは着色点、又は表面領域（７５、７７）であり、回転ノブにおける（ハウジングにおける）マークは少なくとも切欠、又は開口（８５）であり、ハウジングに対して相対的な前記回転ノブの或る位置において（例えば２個の端部位置において）、前記着色点、又は表面領域が見えるように、前記切欠、又は開口（８５）が配置されていることを特徴とする請求項１２に記載のスナップ固定具。
【請求項１４】
前記回転ノブ（２０４３）が着色マーク（７５、７７）を有するフランジ（７３）を形成しており、フランジ（８３）、又は前記ハウジングのベース部が切欠、又は開口（８５）を形成していることを特徴とする請求項１３に記載のスナップ固定具。
【請求項１５】
前記ハウジングは自己ロック性でないスナップ固定具（１５２３）と、自己ロック性のスナップ固定具（１５２２）とを備えている（図４５Ａ、図４５Ｂ、図４５Ｃ、図４６）ことを特徴とする請求項５〜１０のいずれか１項に記載のスナップ固定具。
【請求項１６】
前記２つの形式のスナップ固定具（１５２２、１５２３）を前記薄い壁（１５１４）の平面からの距離に関して、相互に相対的にずらして、前記ハウジング（図４６）内に配置したことを特徴とする請求項１５に記載のスナップ固定具。
【請求項１７】
請求項１〜１６のいずれか１項により、前板が前記薄い壁（１３１４）であり、引出し容器（１３１６）が前記壁支持体であることを特徴とし、更に、請求項１〜１６のいずれか１項によるスナップ固定具、又は複数個のスナップ固定具を有することを特徴とする薄い壁の前板を有する引出し、又はラック。
【請求項１８】
請求項１〜１６のいずれか１項に記載のスナップ固定具、又は複数個のスナップ固定具を有することを特徴とする薄い壁、又はドア扉を有するキャビネット。
【請求項１９】
請求項１〜１０に記載したベース部のスナップ固定具に類似するスナップ固定具が掛合する薄い壁（１４）の開口内に１個、又はそれ以上の個数のハンドル、又は陥凹グリップ（１１５）を配置したことを特徴とする請求項１８に記載のキャビネット。
【請求項２０】
請求項１〜１６のいずれか１項に記載の（自己ロック性でない）スナップ固定具の対称な屋根形の端部（５３）を収容するための開口（２１）を有するウェブ（１７）を前記薄い壁（１１４）に設けたことを特徴とする請求項１９に記載のキャビネット。
【請求項２１】
住宅の壁、ドア扉、シャッタ等のような開口（１３）を設けた薄い壁（１４）を、住宅のフレーム、ドアフレーム、壁の開口端縁等のような同様に開口を設けた壁支持体（１６）に固着するようにしたスナップ固定具（１０、１１０、２１０、３１０、４１０、５１０、６１０、７１０、８１０、９１０、１０１０、１１１０、１２１０、１３１０、１４１０、１５１０、１６１０、１７１０、１８１０、１９１０）であって、このスナップ固定具は前記壁支持体（１６）にその開口（１２）内に配置することができるベース部（１８）と、このベース部（１８）から突出しているヘッド部（２０）とを有し、前記ヘッド部（２０）はその端部から、その縦の部分において、前記ベース部（１８）の方向に、最初は増大し、次に再び減少する直径（４９）を有し、前記ヘッド部（２０）はおす形プラグイン部分であり、直径（４９）の方向に半径方向外方に作用するばね（２８）の力に打ち勝つことによって、前記薄い壁（１４）の前記開口（１３）によって形成され担持される切除めす形プラグイン部分によって、前記おす形プラグイン部分を収容することができ、これにより、前記ヘッド部（２０）は１個、又は２個、又はそれ以上の個数のプッシュ素子、又は保持素子（２２、２３）のための案内、又は通路（３３、３４）であり、前記プッシュ素子、又は保持素子（２２、２３）は前記案内、又は通路（３３、３４）の端部を超えて外方に突出する位置に、少なくとも１個のばね（２８）によって押圧され、前記案内、又は通路から突出する前記プッシュ素子、又は保持素子（２２、２３）の端部（５１、５３）は前記薄い壁（１４）に対し、垂直に延びる投影平面内で三角形、またはボール状（図７Ｂ、図８、図９、及び図６）であり、これにより、前記ベース部（１１８）は前記薄い壁（１４）の前記開口（１３）の縦端縁に重複する板（１１８）によって形成されているスナップ固定具において、前記プッシュ素子（２３）は移動し得るよう隣接して、又は、一方が他方の後に位置している２個のディスク状板を備え、これ等２個の板はそれぞれ移動方向に細長い開口（４７）を有していて、前記開口は螺旋圧力ばね（２８）のための収容空間を個々に、又は結合して形成していることを特徴とするスナップ固定具。
【請求項２２】
共通の前記ばね（２８）が前記２個の板（２３）をその移動方向（４９）に、強制的に分離するよう、前記ボール状、又は三角形の自由端から離れるように移動するように、前記ばね（２８）のための共通の収容空間のための前記開口（４７）を配置したことを特徴とする請求項２１に記載のスナップ固定具。
【請求項２３】
前記開口（４６、４７、１４６）の端縁が前記ばね（２８）、及び前記板（２２、２３、１２２）を固着するための突起（例えば１８６）、又は凹所を有することを特徴とする請求項２１、又は２２に記載のスナップ固定具。
【請求項２４】
前記２個の板（２２、２３、１２２）の外側縦端縁に切欠（７９）を設け、前記切欠（７９）内に突出する肩部、突起、プラグ、又はピン（６６）によって、前記２個の板の縦方向の移動を限定することを特徴とする請求項２２、又は２３に記載のスナップ固定具。
【請求項２５】
Ｕ字状ハウジング（３５）内で縦方向に移動し得るよう前記２個の板（１２３）を案内し、前記Ｕ字状ハウジングの脚端を前記ベース部によって形成されたベース板（１１８、２１８）に固定するか、又は前記ベース板（１１８、２１８）と一体に形成することを特徴とする請求項２２、２３、２４の１項に記載のスナップ固定具。
【請求項２６】
前記Ｕ字状ハウジング（３５）はピン（６６）、又はプラグ（６６）を収容するため、ウェブ区域内に開口（３２）を有することを特徴とする請求項２５に記載のスナップ固定具。
【請求項２７】
ベース部（２１８）がねじボルト（２１９）を備えることを特徴とする請求項１〜２６のいずれか１項に記載のスナップ固定具。
【請求項２８】
固定孔を設けた固定板（１１８）によって、前記ベース部を形成したことを特徴とする請求項１〜２６のいずれか１項に記載のスナップ固定具。
【請求項２９】
前記薄い壁（１４）の前記開口（１３）の縦端縁に重複する板（１１８）によって、前記ベース部（１１８）が形成されていることを特徴とする請求項１〜２６のいずれか１項に記載のスナップ固定具。
【請求項３０】
前記ベース部（３１８）がアルミニウム輪郭体（図１５Ｂ）のようなプレスされた金属輪郭体の側部であることを特徴とする請求項２９に記載のスナップ固定具。
【請求項３１】
前記ベース部（３１８′）が薄板鋼輪郭体（図１６Ｂ）のような転造薄板金属輪郭体の側部であることを特徴とする請求項２９に記載のスナップ固定具。
【請求項３２】
前記ベース部（４１８）が射出成形されたプラスチック輪郭体（図１９Ａ、図１９Ｂ）の側部であることを特徴とする請求項２９に記載のスナップ固定具。
【請求項３３】
前記ベース部（３２２）が前記ヘッド部（図１２、符号３２３、図１７Ａ、図１７Ｂ、図１７Ｃ、図１８、図２０）とほぼ同一構造、特に、前記ヘッド部の鏡像反転構造を有することを特徴とする請求項２９に記載のスナップ固定具。
【請求項３４】
住宅の壁、ドア扉、シャッタ等のような開口（１３）を設けた薄い壁（１４）を、住宅のフレーム、ドアフレーム、壁の開口端縁等のような同様に開口を設けた壁支持体（１６）に固着するようにしたスナップ固定具（１０、１１０、２１０、３１０、４１０、５１０、６１０、７１０、８１０、９１０、１０１０、１１１０、１２１０、１３１０、１４１０、１５１０、１６１０、１７１０、１８１０、１９１０）であって、このスナップ固定具は前記壁支持体（１６）にその開口（１２）内に配置することができるベース部（１８）と、このベース部（１８）から突出しているヘッド部（２０）とを有し、前記ヘッド部（２０）はその端部から、その縦の部分において、前記ベース部（１８）の方向に、最初は増大し、次に再び減少する直径（４９）を有し、前記ヘッド部（２０）はおす形プラグイン部分であり、直径（４９）の方向に半径方向外方に作用するばね（２８）の力に打ち勝つことによって、前記薄い壁（１４）の前記開口（１３）によって形成され担持される切除めす形プラグイン部分によって、前記おす形プラグイン部分を収容することができ、これにより、前記ヘッド部（２０）は１個、又は２個、又はそれ以上の個数のプッシュ素子、又は保持素子（２２、２３）のための案内、又は通路（３３、３４）であり、前記プッシュ素子、又は保持素子（２２、２３）は前記案内、又は通路（３３、３４）の端部を超えて外方に突出する位置に、少なくとも１個のばね（２８）によって押圧され、前記案内、又は通路から突出する前記プッシュ素子、又は保持素子（２２、２３）の端部（５１、５３）は前記薄い壁（１４）に対し、垂直に延びる投影平面内で三角形、またはボール状（図７Ｂ、図８、図９、及び図６）であり、これにより、前記ベース部（１１８）は前記薄い壁（１４）の前記開口（１３）の縦端縁に重複する板（１１８）によって形成されているスナップ固定具において、前記保持素子（１８２２）は前記薄い壁（１８１６）の平面に平行な軸線の周りに回転し得るように、前記薄い壁（１８１６）から、或る距離（Ａ）に配置されたレバーである（図５４）ことを特徴とするスナップ固定具。
【請求項３５】
住宅の壁、ドア扉、シャッタ等のような開口（１３）を設けた薄い壁（１４）を、住宅のフレーム、ドアフレーム、壁の開口端縁等のような同様に開口を設けた壁支持体（１６）に固着するようにしたスナップ固定具（１０、１１０、２１０、３１０、４１０、５１０、６１０、７１０、８１０、９１０、１０１０、１１１０、１２１０、１３１０、１４１０、１５１０、１６１０、１７１０、１８１０、１９１０）であって、このスナップ固定具は前記壁支持体（１６）にその開口（１２）内に配置することができるベース部（１８）と、このベース部（１８）から突出しているヘッド部（２０）とを有し、前記ヘッド部（２０）はその端部から、その縦の部分において、前記ベース部（１８）の方向に、最初は増大し、次に再び減少する直径（４９）を有し、前記ヘッド部（２０）はおす形プラグイン部分であり、直径（４９）の方向に半径方向外方に作用するばね（２８）の力に打ち勝つことによって、前記薄い壁（１４）の前記開口（１３）によって形成され担持される切除めす形プラグイン部分によって、前記おす形プラグイン部分を収容することができ、これにより、前記ヘッド部（２０）は１個、又は２個、又はそれ以上の個数のプッシュ素子、又は保持素子（２２、２３）のための案内、又は通路（３３、３４）であり、前記プッシュ素子、又は保持素子（２２、２３）は前記案内、又は通路（３３、３４）の端部を超えて外方に突出する位置に、少なくとも１個のばね（２８）によって押圧され、前記案内、又は通路から突出する前記プッシュ素子、又は保持素子（２２、２３）の端部（５１、５３）は前記薄い壁（１４）に対し、垂直に延びる投影平面内で三角形、またはボール状（図７Ｂ、図８、図９、及び図６）であり、これにより、前記ベース部（１１８）は前記薄い壁（１４）の前記開口（１３）の縦端縁に重複する板（１１８）によって形成されているスナップ固定具において、前記保持素子（１９２２）は前記薄い壁（１９１６）の平面に垂直な軸線の周りに回転し得るように、前記薄い壁（１９１６）から、或る距離に配置されたレバーである（図５５Ａ〜図５５Ｃ）ことを特徴とするスナップ固定具。
【発明の詳細な説明】
【技術分野】
【０００１】
本発明は住宅の壁、ドア扉、シャッタ等のような開口を設けた薄い壁を、住宅のフレーム、ドアフレーム、壁の開口の端縁等のような壁支持体に固着するためのスナップ固定具であって、壁支持体の開口内に、配置することができるベース部と、このベース部から離れるように延びるヘッド部とを有し、このヘッド部はその縦の部分において、ヘッド部の端部から、ベース部の方向に、最初は増大し、次に再び減少する直径を有し、また、このヘッド部はおす形プラグイン部分であり、このおす形プラグイン部分は直径の方向に半径方向外方に作用するばねの力に打ち勝つことによって、薄い壁の開口によって形成され担持される切除めす形プラグイン部分によって収容することができるスナップ固定具に関するものである。
【背景技術】
【０００２】
上に述べた形式のスナップ固定具はBielefeldのArchimedesstr. 1-4、33649のBoellhoff社によって刊行されたパンフレットによって、既知である。ねじを有するベース部によって、壁支持体にピンを固定することができ、このピンはおす形プラグイン部分を構成する球状、又は風船状のヘッドを有しており、一方、カラーを設けたキャップはめす形プラグイン部分として作用し、このキャップは薄い壁の開口内に挿入することができ、また、このキャップは可撓性プラスチックから成る構造材料の故に、柔軟にヘッドを収容することができる。
【発明の開示】
【発明が解決しようとする課題】
【０００３】
プラスチック材料は時間が経過すると、また、しばしば応力を受けると、その完全な状態、及び弾発性を喪失し、ホルダの強度が失われる欠点がある。更に、この従来の構造は非常に複雑で、高価である欠点がある。
【０００４】
本発明の目的はこれ等の従来技術の欠点を除去し、無限の期間にわたり、優れた弾発性を確保し、その簡単化した設計により、製造を安価にすることができ、組立てが簡単なことによって、例えば、薄板金属のキャビネット、あらゆる形式のケース、カバー、端部封鎖体を安価に製造することができる上述の形式のスナップ固定具を得るにある。
【課題を解決するための手段】
【０００５】
最初に述べた形式のスナップ固定具のヘッド部を１個、又は２個、又はそれ以上の個数のプッシュ素子のための案内、又は通路にし、この案内、又は通路の端部を越えて外方に突出する位置に、少なくとも１個のばねによって、プッシュ素子を押圧し、案内通路から突出するプッシュ素子の端部を薄い壁に対し、垂直に延びる投影平面内で三角形、又はボール状にした請求項１の要旨により、上述の目的は達成される。
【０００６】
この方法によって、時間の経過により変化するプラスチック材料によってばね力を得る従来の技術とは異なり、時間が経過しても変化しないばね特性を有する鋼製ばねを使用することができる。
【０００７】
また、プラスチックの材料特性によって、プラスチックの弾発性が限定される従来のものと相違し、本発明は対応する高いばね常数を有するばね装置を使用することによって、簡単に、ばね力をできるだけ高めることができる利点がある。
【発明を実施するための最良の形態】
【０００８】
従来の技術においては、めす形プラグイン部分は薄い壁の丸い開口内に配置する必要があった。これに反し、本発明の実施例の形態では、めす形プラグイン部分を薄い壁の長方形の開口によって、好適に形成する。特に薄い壁の端縁の斜面の区域に、開口を形成するのが好適であり、これにより、強度を損なうことなく、一層狭く、従って、一層小さい開口を設けることができる。
【０００９】
本発明の特に有利な実施例においては、プッシュ素子を２個の板で構成し、これ等の板を移動し得るように隣接して（又は一方を他方の後に）配置し、これ等の板のそれぞれに、移動方向に細長い開口を設け、これ等の開口によって、個々に、又は結合して、螺旋圧力ばねのための収容空間を形成する。ボール状、又は三角形の自由端から離れるように動くように、第２端のこれ等の開口を配置し、共通のばねの力によって、これ等の２個の板をその移動方向に強制的に分離する。
【００１０】
本発明の他の構造によれば、螺旋圧力ばね、及び板を固着するため、開口の端縁に突起、又は凹所を設ける。従って、予め、螺旋ばねを板に嵌着することができ、おす形プラグイン部分内での次の組立を容易にする。
【００１１】
本発明の他の構造によれば、圧力ばねが２個の板を合体して保持し、予め組み立てることができる取扱いユニットを形成するように、圧力ばねと、開口端縁との形状を定める。
【００１２】
これは組立て前、及び組立中の取扱いを簡単化するのに貢献する。
【００１３】
更に発展した本発明によれば、板の外側縦端縁に切欠を設け、この切欠に掛合する突起、又はピンにより、板の縦方向の移動を制限する。本発明の特に有利な方法では、２個の板をＵ字状ハウジング内で、縦方向に移動し得るように案内し、Ｕ字状ハウジングの脚端をベース部によって形成されたベース板に固定するか、又は脚端をベース板と一体に形成する。
【００１４】
ピンを収容するため、Ｕ字状ハウジングのウェブ区域に開口を設けることができ、既に上述したように、板の縦方向の移動をこのピンによって制限する。
【００１５】
ベース部にねじボルトを形成することができ、このねじボルトにナットを螺着することによって、住宅のフレーム、壁の開口端縁等の壁支持体にベース部を固定することができる。これは先行技術におけるピンの固定の型式に対応している。
【００１６】
代案として、固定孔を設けた固定板によって、ベース部を形成することができ、固定孔を通して、挿入することができる対応するねじによって、ベース部を固定することができる。
【００１７】
薄い板の開口の縦端縁に重複する板によって、ベース部を形成することもできる。
【００１８】
ベース部をアルミニウム輪郭体のようなプレスされた金属輪郭体の側部にすることもでき、又は薄板鋼の輪郭体のような転造薄板金属輪郭体の側部にすることができ、又は射出成形プラスチック輪郭体の側部にすることもできる。
【００１９】
特に有利な方法では、ベース部をヘッド部に類似するように、鏡像反転構造に形成する。この種の実施例の形態では、ベース部とヘッド部とに両者の間にある共通ベース板を設けるのが有利である。
【００２０】
しかし、ヘッド部のベース板をベース部のウェブによって形成し、又は担持することもできる。
【００２１】
この場合、ヘッド部より一層大きな縦延長部をベース部に設け、そのウェブによって、薄い壁のための支持肩部を形成する時、有利である。これにより薄い壁の平面に垂直な止めを提供し、壁支持体、又はハウジングの他の構造的な構成部分によって、止めを形成する必要が無くなる。
【００２２】
ベース部の移動可能な板の自由端は非対称の屋根形にすることができ、これにより、平坦な傾斜、即ち、屋根の傾斜の緩やかな部分を案内している間、縦方向に移動可能な板を挿入することによって、薄い壁、又は壁支持体の適切な開口内に、ベース部を挿入することができ、しかし、屋根の一層、傾斜が急な部分を案内している間は、板はその案内の中では自己ロック性なので、後方への運動は不可能である。
【００２３】
この形式の構成は特殊な工具が無いと、再び外すことができなく、このことは多くの場合、有利である。
【００２４】
自己ロック性のスナップ固定具を使用する時は、スパナ、又はキーを回転することによって、ばね力に抗して、プッシュ素子を引き戻すことができるスパナ、又はキーのような工具を、自己ロック性のスナップ固定具を備えるハウジング内に、前部、及び／又は後部から挿入することができる時、有利である。
【００２５】
これにより、必要なら、この種の固定具を分解することができる。
【００２６】
本発明の他の実施例の形態によれば、薄い壁の貫通開口内に、把持することができる固定カムをハウジングに設けることができる。
【００２７】
ハウジングのプッシュ素子を引き戻すことができる作動軸、又は作動ホイール、又はキーをハウジングから突出させることができる。
【００２８】
作動ホイールが開放位置において、ロックできるように作動ホイールを設計する時、複数個の作動ホイールを設けたスナップ固定具の操作は容易である。
【００２９】
グリップ装置もハウジングから突出させることができる。このことは、例えば、ハウジングが引出し、又はプッシュインラックの時、一層有利である。
【００３０】
ハウジングは自己ロック性でないスナップ固定具と、自己ロック性のスナップ固定具とを備えることができる。これ等２つの形式のスナップ固定具を同一高さに配置するか、又は薄い壁の平面からの距離に関し、相互に相対的にずらして配置する。
【００３１】
ベース部が固定孔として長孔を有することができ、このことは、この構成が移動し得るように、螺着すべきブラケットとして作用する時、有利である。
【００３２】
本発明はまた薄い壁の前面区域を有する引き出し、又はラックに関するものであり、前板が薄い壁であり、引出し容器が壁支持体である。
【００３３】
また、本発明は薄い壁、又はドア扉を有するキャビネットに関するものであり、本発明の一実施例により、スナップ固定具を構成する。
【００３４】
薄い壁の取扱いを容易にするため、薄い壁に１個、又はそれ以上の個数のハンドル、又は陥凹グリップを設けることができる。この場合、上述の実施例に示すベース部の場合と同様に、スナップ固定具が掛合する開口内に、グリップの陥凹部を配置する時、有利である。
【００３５】
二重斜面であれば見えないように固定具を配置することができる。代案として、上記の実施例の１つによるスナップ固定具の対称な屋根形端部を収容するための開口を有するウェブを薄い壁に設けることもできる。
【００３６】
次に、図面に示す実施例を参照して、一層、完全に本発明を説明する。
【実施例】
【００３７】
図１Ａはスナップ固定具１０を示す横断面図であり、このスナップ固定具１０はこの場合、開口１２を設けたドアの扉１４、シャッタ等の住宅の壁のような薄い壁１４を壁支持体１６に固着するためのものであり、この壁支持体１６は住宅のフレーム、ドアフレーム、壁の開口端縁等であり、この壁支持体１６には同様に開口１２を設けている。スナップ固定具１０はベース部１８を有しており、ベース部１８は開口１２内に、壁支持体１６に配置することができる。スナップ固定具１０のヘッド部２０はベース部１８から延びていて、図２の側面図に示す縦の部分において、ヘッド部２０の直径はヘッド部２０の端部から、ベース部１８の方向に、最初は増大し、次に再び減少する。ヘッド部２０はおす形プラグイン部分であり、その縦の部分で半径方向に作用するばね力（図３Ｂのばね２８を参照）に打ち勝つことによって、薄い壁１４の開口１３によって形成され、又は担持される切除プラグイン部分によって、ヘッド部２０は収容される。スナップ固定具１０のヘッド部２０は１個又は２個のプッシュ素子２３のための案内、又は通路３３、３４を有しており、プッシュ素子２３はこの案内通路の端部を超えて突出する位置（図３Ｂ参照）に、少なくとも1個のばね２８によって押圧される。案内通路３３、又は３４から突出する端部は三角形状（図２の上部、及び図７Ｂ参照）を有しており、即ち、図７Ｂに明らかなように、傾斜面、又は三角形の辺２５、２７を備える。このように同一に構成された2個のプッシュ素子２３は通路３３、３４の内側に、互いに隣接して配置されており、通路の4個の壁に関し、相互に反対方向に移動することができる。プッシュ素子２３のこの往復運動は肩部４２によって制限され、この肩部４２はストッパ、又はプラグ６６の一部にすることができ、ヘッド部２０の狭い壁の中の適合する開口３２（図５Ｄ参照）を経て、配置される。この肩部はプッシュ素子２３の凹所７９内に突出していて、その端面３８、３９に当たる。従って、プラグ６６を図３Ｂに示す位置に設置されている間、反対方向に移動する2個のプッシュ素子２３、１２３はハウジングの案内から外れることがない。一方、これ等プッシュ素子をばね２８によって、図３Ｂに示す位置に押圧し、この位置で、これ等プッシュ素子の三角形の先端が案内通路から突出する。従って、傾斜面２５、２７は最初に増大し、次に、再び減少する上述のヘッド部の直径的の拡張部を形成している。このため、このスナップ素子１０をドア扉１４によって形成されている開口１２内に押し入れることができる。傾斜面２７はこの開口の狭い端縁に沿って、摺動し、その間に、三角形の先端が案内通路に達するまで、この傾斜面２７はばね２８の力に抗して、プッシュ素子２３をこの素子通路内に押し戻し、その後、直ちに、プッシュ素子２３は再び外方に動き、開口の端縁は傾斜面２５に沿って、下方に摺動し、スナップ素子を再び開口の外に動かす。傾斜面２５の傾斜が傾斜面２７の傾斜と同一である時、傾斜面２５によって外方への運動を行なわせるが、傾斜面２５は２５′に示す凹形、又は２７′に示す凸形に変更することができ、これにより、再びスナップ素子をアンロックするため、即ちロックを解くために必要な力の消費��を変化させることができる。
【００３８】
図１Ａに明らかなように、このスナップ固定具のための開口１２はドア扉１４の斜面に配置しているので、ドアを閉じた時、この固定具は見えない。ヒンジ１１とドアハンドル１５とを有するドアによって、このハウジングの開口を閉じる代りに、壁部分によってハウジング１６の開口を閉じることもでき、その場合、ヒンジ１１の代りに、左側に符号１０にて示したものに類似するスナップ固定具１０を開口１１２、１１３上に配置することができる。この壁１１４に第２ハンドル１１５を設けて、操作を容易にすることができるが、ハンドルを省略することもできる。
【００３９】
一般に、図１Ａの左側に示すフレーム１６の斜面を壁の開口にすることができるが、この開口は相応の閉鎖部によって閉じなければならない。
【００４０】
ドアフレーム１６等におけるスナップ素子１０の固定は通常の方法で実施することができ、即ちねじボルト（図４のベース板２１８に配置されたねじ２１９参照）によるか、又は図３Ａ、及び図３Ｂのベース板１１８の孔１１９に貫通するねじ（図示せず）による。また、図１に示すものと同様に、スナップ固定具の上部に適合する一層好適な設計はヘッド部２１とほぼ同様に、ベース部を構成することである。
【００４１】
実質的に相違するのは傾斜面２６、２４が異なる傾斜角を有していることである（図６参照）。自己ロック作用が無い、比較的軽微な傾斜角を設けることによって、傾斜面２６はフレーム等の対応する開口１２、１１２内にベース部を挿入するのを容易にする。これに反し、構造的な構成部分を再び開口の外に引き出すため、打ち勝たなければならない傾斜面２４は傾斜が急であり、そのため、自己ロック作用があり、特別な工具を使用しないと、この構造的な構成部分を開口から除去することができない。
【００４２】
ばね力の特に有利な適用を図１４Ａ〜図１４Ｄに示す。この２個のプッシュ素子は移動できるように、互いに隣接する２個の板１２２を備え、それぞれの板は移動方向に細長い開口１４６を有する。相互に隣接するこれ等２個の開口は螺旋圧力ばね１２８のための収容空間を形成している。開口１４６はボール状の自由端、又は三角形の自由端から離れるように、配置されており、ばねの力はこれ等２個の板をその移動方向に、即ち図１４Ｂの右に、左に分離するように強制的に動かす。
【００４３】
開口１４６の他の端縁には突起１８６を設けることができ、これはこの収容空間内に、ばねを固着するためであり、即ち、図１４Ｃ、及び図１４Ｄ（異なる板厚）に示すように、この突起１８６は取扱い可能なユニットとして、２個の隣接する移動可能な板１２２を同時に、共に保持することができるようにするためである。
【００４４】
この取付けユニットが必要でない時、即ち、構成が既に、ばね自身を支持している場合には、突起１８６を省略することができる。いずれの場合でも、通路内に取り付けた後、ばねと、板とを自動的に、即ち通路の壁によって、相互に相対的に保持する。
【００４５】
従って、クリップ工程によって、即ち、取り付けることによって、スナップ固定具をフレーム１６に固定することができ、しかもドア１４のような薄い壁をスナップ固定具上に摺動させることができ、従って、ロックすることができ、しかも相応の引張り力を作用させることによって、再びドアを開くことができる限り、図２によるスナップ固定具の構造は特に有利である。このことはベース１９のスナップ固定具では不可能である。後者を分解するためには、関連する開口１２の端縁が急な傾斜面２４に沿って移動するまで、２個のプッシュ素子２２を関連するばねの力に抗して、ハウジング内に押圧するために、工具を加えなければならず、又は指によって、大きな力を加えなければならない。
【００４６】
図１Ａによる実施例の形態では、薄い壁１４の斜面はフレーム１６の斜面に直接、隣り合わせになっており、壁１４とフレーム１６との板の厚さのみが相違している。図１１Ｂによる実施例の形態では、この距離を一層大きくするように、構成を選択すれば、或る時に有利であるかも知れない。この目的のため、ベース部を反転させている。
【００４７】
図１０Ａ、図１０Ｂ、図１０Ｃ、及び図１０Ｄは本発明による二つ折りスナップ固定具１９、２０を使用して、薄い壁１４を着脱自在にドアフレーム１６に固着する実施例の形態を示す種々の図面である。
【００４８】
スナップイン、即ち、取り付けるために適切な収容開口を配置し得る斜面をドア扉が有していない時、即ち、図１２、図１３Ａ、及び図１３Ｂによるドアフレーム１１６、及びドア扉１１４を有するスイッチキャビネットの場合に、このドア扉１１４はウェブ１７を具備するようする。このウェブ１７はドア扉の自由表面から延びていて、互いに対向して位置し、開口２１を有しており、この開口２１内にプッシュ素子１２３を動かすことができる。
【００４９】
図１５Ａ、及び図１５Ｂにおいては、本発明によるベース部によって、２個の薄い壁を相互に連結する。２個の薄い壁１４、１６は自己ロック性の３２３によって保持され、これ等のプッシュ素子は工具を使用しなければ相互に分離できないようになっている。関連するハウジングは射出成形により、合金、又はプラスチックで製造することができ、図１５Ｂに示す形状を有するが、薄板金属の転造によって、図１６Ｂに示すような同一の形状にすることもできる。２個の切欠５９によって図１６Ａに示すようにウェブ６１を設け、次に、図１６Ｃに示すようなプレス工具によって、この輪郭になるように押圧する。この一部がプレスされた部分はプッシュ素子３２３の移動を限定する突起として作用する。
【００５０】
転造された薄板金属のこの実施例の形態は図１７Ａ、図１７Ｂ、及び図１７Ｃに示す形状に拡大することができ、プッシュ素子のための十分な空間を提供する輪郭形状に移行し得るように、中間のベース板が無い２対のプッシュ素子を保持する。また、この２対のプッシュ素子は相互に分離することができる。図１８によれば、このことは薄板金属材料の反転折り畳みによって可能になる（符号３３１参照）。図１６Ｃに示す実施例の形態も、金属、又はプラスチックから射出成形することができる。図１９Ａ、及び図１９Ｂに一例を示し、図２０には二重通路輪郭に関連する対応する技術を示している。図１９Ａ、及び図１９Ｂに符号４４２によって示し、また射出成形によるプラスチック製のものを示す図２０に、符号５４５によって示しているように、図１６Ｃによる肩部３４２の可撓性に起因し、肩部が外方に突出する間に、それぞれ対をなすプッシュ素子３２３、４２３、又は４２２を挿入することができる。挿入の瞬間に、この肩部は可撓性であり、次に肩部は凹所区域内に移動し、弾発的に原形に復帰する。従って、前述の実施例を参照して述べた形式の別個のプラグ部分は省略することができる。
【００５１】
図２１Ａ、図２１Ｂ、及び図２１Ｃに示す構造は図１９Ａ、及び図１９Ｂに示すものに類似しているが、相違しているのは図１９Ｃによる１対のプッシュ板４２２の代りに、２対のプッシュ板６２２を設けたことである。この場合、２個のねじ４０によって、ヘッド部６２０をベース部６１８に連結し、ベース部６１８から突出する肩部４１に、ねじ２０を螺着している。移動路を制限するため、それぞれ２個のプッシュ素子６２２の移動路内に延びている頭無しねじを符号４４にて示す。図２２Ａ、図２２Ｂ、及び図２２Ｃによる構成において、プッシュ素子７２２は薄い壁の平面に平行に延びる開口４６を有していて、この開口内に螺旋ばね７２８を挿入することができる。このばねを収容するポケット孔５０の底面４８において、このばねを支持し、このばねの他端でプッシュ素子７２２の端縁５２を押圧し、従って、このプッシュ素子７２２を薄い壁７１４の開口の端縁に押圧する。図２２Ｃに明らかなように、平坦板で形成された保持素子７２２を対応する形状の溝孔状空間５４内に配置する。溝孔状空間５４はヘッド部７２０内に配置されている。溝孔状空間５４はヘッド部７２０（図２２Ａ参照）内に十分に延びているので、プッシュ素子７２２全体を挿入することができる。開口４６の後端縁にばね７２８が作用することによって、プッシュ素子７２２が底面４８に達した時、外方への運動は制限される。これは、端縁５６がこの時、ばね７２８の端部に当り、従って、ばねは金属片７２２に対するその押圧作用を失うからである。
【００５２】
図２４Ａ、図２４Ｂ、及び図２４Ｃは図６Ａ〜図６Ｃによる構造に比較し、唯一の相違点は接触面３６０と傾斜面６２４との間に、距離Ｂが存在し、付加的な薄い壁８１６、８１７の厚さを収容し得ることである。従って、図２４Ａ〜図２４Ｃによる実施例の形態はプッシュ素子８２２が狭くなく、大きな幅を有していて、ばね８２８の半分、又はその横断面を収容するため、半円形凹所６４を側面６２に設けている点で、図２２Ａ〜図２２Ｃのものと相違している。図２２Ａによる溝孔部５４に対応していて、ヘッド部２８に形成されており、半円形横断面を有する対応する空間によって、このワイヤばね８２８の第２の半部は収容される。
【００５３】
図２５Ａ、図２５Ｂ、及び２５Ｃは一方では図２５Ａに示す突出位置に、プラグ６６によって、保持素子９２２を封鎖することができるようにすると共に、他方では、プラグ６６を除去した後、キー６８によって、ばね９８８の力に抗して、保持素子９２２を引き戻すことができるようにし、従って、希望する時は何時でも、薄い壁９１４から連結素子を外すことを可能にする実施例を示す。この実施例の形態の他の利点は傾斜面７０（図２６Ａ、図２６Ｂ、図２７Ａ、図２７Ｂ、及び図２７Ｃの保持素子９２２の詳細図も参照）にあり、この傾斜面７０はばね９２８の圧力によって、これ等の保持素子を通路壁７２の方向に、外方に強制的に動かし、従って、この通路内に、摩擦が発生し、図２５Ａに示す固着プラグ６６が、も早、必要でない十分な程度にまで、保持素子９２２を固着することができる。保持素子９２２を取り付けるのに、プラグ６６が必要でなくなった時でも、２個の保持素子９２２によって形成された凹所区域７８内に、通路カバー７６の孔７４を通じて、アンロックキー６８、即ちロックを解くキー６８を導入する時は、プラグ６６は取り除く必要が無い。キー６８を図２５Ａで見て、反時計方向に回転する時、キーの側部８０は凹所区域７８の端面８２を押圧し、このキーにより、保持素子９２２を通路内に動かし、保持素子９２２を図２７Ｃに示す位置に達せしめる。この時、キーは９０°回転していて、それ自身で、保持される。次に図２５Ａに示す全ユニットを薄い壁９１４の開口の外に引き出すことができ、ここまで多分、互いにクランプされていた構造構成部分を再び分離することができる。
【００５４】
また、ばね９２８のための収容空間８４を図２６Ａ〜図２７Ｃに明示する。
【００５５】
図２８Ａ〜図２８Ｄは保持素子１０２としての平坦金属片を示し、この平坦金属片はばね１０２８を収容する開口１０４６と、２個の突起１０６６とを有し、２個の突起１０６６は互いに対向して設置され、ばね１０２８に対して静止して、ばね１０２８を支持していて、全体として、取扱いユニットを形成しており、この取扱いユニットは保持素子と、図１４Ａ〜図１４Ｄに示すものと類似するばねとを備えている。
【００５６】
このユニットはヘッド部１０２０（図２８Ａ参照）内の対応する形状の溝孔空間１０５４内に収容することができ、ばねのために設けた切除部１０８４は保持素子１０２２のための対応する切除部１０５４より一層短くなっており、図２８Ａに示す位置に保持素子１０２２が押圧されている時の接触面をばね１０２８に設ける。
【００５７】
ばねのための切除部１０８４の端部に結節８６を配置した時、ばねを取り付けることができ、ばね１０２８と共に保持素子１０２２が脱落するのを防止することができる。
【００５８】
図３０Ａ、図３０Ｂ、図３１、図３２Ａ、及び図３２Ｂによる実施例の形態においては、製作に関連する技術的な理由のため、通路１１３４を上方に開口させる（図３１参照）。保持素子１１２２はなお案内されており、これは、保持素子１１２２は横断面がＬ字状になるように構成されており、図３０Ｂに示すように、相互に平行に延びている２個のＬ字状素子によってＴ字状に形成されているからである。この実施例の形態では、保持素子１１２２はロックされていないから、ランインスロープ９０の手前に、真直ぐな端縁８８を設けた時、薄い壁１１１６の開口１１１２内に、連結部１１１０を挿入するのを容易にする。本体部１１２０（図３０Ｂ、及び図３１参照）によって形成された傾斜面も、薄い壁１１１６の長方形開口１１１２内への挿入を容易にする。
【００５９】
１個の片から成るＴ字状のクリップ素子も、このクリップ素子が同様に上方に開いていても、包囲ハウジングの例えば前側の、Ｔ字状横断面を有するポケット孔内に、挿入することができる。
【００６０】
開口の形状は必ずしも、上述の実施例の形態におけるような長方形でなくとも良く、また円形でもよいが、この場合は回転しても問題を生ぜず、また、回転が望まくさえある場合である。或いは２個の開口、又は結節が回転を防止する場合か、又は（「赤十字」に類似する）十文字の形状を有しており、また、例えば９０°ずれた４個の保持素子を有していて、特に良好な保持強度に加えて、回転に対して、特に信頼性がある防止を行うものである場合か、又はヘッド部に適合する卵形、又はその他の適切な外形を有している場合である。
【００６１】
図２５Ａ、図２５Ｂ〜図２７Ｃに示す実施例の形態の実際の実施の例を図３４〜図３７に示す。この場合、薄い壁１２１４を壁支持体１２１６に保持し、壁１２１４と、キャリヤ１２１６とにそれぞれ開口１２１２、１２１３を設け、これ等の開口を通じて、スナップ固定素子１２１０を挿入することができ、図３４Ａに示すように、スナップ固定素子１２１０をキャリヤの背後にロックすることができる。スナップ固定部１２１０の前端に、及び後側に、アンロックのための、即ちロックを解くための孔１２７４を設け、相応のキー６８を前側、及び後側から挿入できるようにし、これにより、再び固定素子をアンロックし、即ち、ロックを解き、薄い壁１２１４を壁支持体１２１６から分離できるようにする。
【００６２】
前、及び後からのこのアンロックを図３６、及び図３７にそれぞれ示す。
【００６３】
外観上の理由から、また塵埃の進入を防止するため、孔１２７４をプラグ６６によって閉じ、またこのプラグ６６は同時に、保持素子１１２２をロックする役割を果たし、保持素子の希望しない除去を防止する。
【００６４】
他の実施例を図３９〜図４４に示す。図３８は薄い壁１３１４の長方形の開口１３１３と、壁支持体１３１６の開口１３１２とを示す。開口１４１３と、開口１４１２とは２個の平行な端縁と、これに垂直な丸みを帯びた端縁とを有する（図３８Ａ、及び図３８Ｂ参照）。これ等の開口は全て、相互に対向して位置する平行な壁に切欠を形成している。
【００６５】
ハウジング１３３５は薄い壁１３１４の開口１３１２内に把持することができる。この把持プロセスは隆起部１３３７によって、実現することができ、この隆起部はプラスチックハウジングから突出しているが、孔１３１２の端縁を挿入する時、屈撓するのに十分なだけ、隆起部は可撓性である。このようにして、ハウジングは薄い壁１３１４内に取り付けられる。ハウジング１３３５は板、又はプッシュ素子のための通路、又は案内１３３３を形成しており、フランジ構成１３１８を通じて、内方に突出し、そこに支持されているノブ４３を1/4回転させた時、図２５Ａ〜図２７Ｃに示す場合と同様に、板、又はプッシュ素子を引き戻すことができ、また、壁支持体１３１８の開口が開放されるまで、保持素子１３２２は引き戻され、更に、開口１３１２内の凹所によって、引き戻されていない隆起部１３３７が通過し得るようにする。このプロセスを図４０Ｄに示す。この構造は上に示した実施例の形態に従って、実施することができ、トリガ装置が９０°でロックしており、上述の種類の複数個のスナップ固定具１３１０を同時にアンロック状態に保持し、壁支持体１３１６の外に引き出すことができる。
【００６６】
また、図４４に一例を示すが、例えば壁素子、又は壁支持体１３１６の包囲構成のような薄い壁１３１４上に、例えばハウジングのフレーム上に、上述の種類の２個のスナップ固定具１３１０を配置する。また、このスナップ固定具のフランジ１３１８は作動ねじ４３を包囲するグリップ（図４３Ｂ、及び図４３Ａ参照）を備える。
【００６７】
図４５Ａ、図４５Ｂ、及び４５Ｃに示す実施例の形態においては、自己ロック性でないスナップ固定具１５２３、及び自己ロック性のスナップ固定具１５２２をハウジング１５３５内に設置する。自己ロック性のスナップ固定具１５２２はこの構成を壁支持体１４１５に取り付けることができ、自己ロック性でないスナップ固定具１５２３は薄い壁１５１６を取り外し得るように、壁支持体１４１５に保持することができる。
【００６８】
図４６は２つの形式のスナップ固定具１５２２、１５２３を薄い壁１５４０の平面からの距離に関して、互いに相対的にずらすことができることを示している。図４７に示すスナップ固定具は図４５Ｂに示す構成に属するものである。自己ロック性でないスナップ固定具のために設けた開口を符号１５１２によって示す。この開口１５１２に若干近く示してある他の開口であって、自己ロック性スナップ固定具に必要な開口１５１３よりも開口１５１２が若干大きい。
【００６９】
上に既に詳細に記載した構成の種々の設計は板素子として使用することができる。
【００７０】
図４８Ａ、及び図４８Ｂは自己ロック性の構造を示す。図４８Ｃは自己ロック性でない対応する構造を示す。
【００７１】
図４９Ａ、図４９Ｂ、及び図４９Ｃは図３０〜図３２に示したものに類似する板の例を示す。
【００７２】
図５０Ａ、及び図５０Ｂは自己ロック性でない板を有するスナップ固定具を示す２個の図面である。ベース部はブラケットとして、調整可能に螺着することができる。この調整可能なことにより、吊りドアに適用することを可能にしている。
【００７３】
図５１Ａ〜図５３において、本発明スナップ固定具１７１０は金属板のような２個の薄い壁１７１４、１７１６のためのコネクタとして役立つものであり、この２個の薄い壁は連結位置に開口１７１２、１７１３を設けている。このコネクタは不銹鋼のような多くの金属において実施が困難で、しかも変色の原因となる溶接連結に代るものとして役立ち、又は脱落すればスイッチキャビネット内での短絡の原因となる複雑なねじ連結、又はリベット連結に代るものとして役立ち、また、本発明によるスナップ連結は、連結部を造りたい時に、接近するのが困難な、又は接近が不可能な連結位置でも使用することができる。
【００７４】
この解決策はベース部１７１８、及びヘッド部１７２０が共通のハウジング１７３５を有しており、保持素子１７２２、１７２２′はハウジングの中心線に関して、ほぼ鏡像反転状態に、ベース部１７１８と、ヘッド部１７２０とに配置されており、またこれ等の保持素子はばね１７２８の力に抗して、挿入方向に自己ロック性であるような形状であり、更に傾斜面１７２４、１７２４′によって、開口の端縁に掛合するような形状であり、更に、支持端縁１７１８は１個の壁１７１６の開口１７１２の接触端縁を覆っており、第２の壁１７１４の開口１７１３によって、収容（図５１Ａ〜図５３参照）されており、この支持端縁１７１８は挿入方向にほぼ平行なヘッド部１７２０の保持素子の傾斜面１７２４の高さで、ハウジング１７３５の外壁に沿って延びている。
【００７５】
この構成はこの程度まで、図２のものに類似しているが、相違しているのはベース部２２のみが自己ロック性の保持素子２２を有し、ヘッド部２０はそれを有していない点である。図５１Ａによる構成においては、傾斜面１７２４の傾斜は一層大きく、従って、また自己ロック性になっている。
【００７６】
また、この場合、開口は長方形である必要はなく、円形のような他の形状も実現することができる。この場合、ハウジングは対応して適合する外側の輪郭を有する。
【００７７】
保持素子の通路を制限するプラグ１７６６を使用する代りに、凹所１７７９に貫通し、縦壁(図示せず)に保持されるクロスピンも設けることができる。
【００７８】
運動学上反転して、保持素子に突起を設け、ハウジングによって形成された凹所、又は長孔内に、この突起を突出し、保持素子の移動路を制限するようにすることもできる。
【００７９】
直線的に移動可能である保持素子を使用する代りに、多くの場合、回転運動も使用することができる。例えば、図５４に示すスナップ固定具は保持素子１８２２がレバーであって、これ等のレバーを薄い壁１８１６から或る距離（Ａ）に配置して、薄い壁１８１６の平面に平行な軸線の周りに回転可能にする特徴を有する（図５４参照）。
【００８０】
代案として、保持素子１９２２を薄い壁１９１６から或る距離に配置されたレバーにし、薄い壁１９１６の平面に垂直な軸線の周りに、このレバーを回転可能にする特徴を有するスナップ固定具も可能である（図５５Ａ〜図５５Ｃ参照）。
【００８１】
図５６はスナップ固定具２０１０の分解図であり、このスナップ固定具２０１０は図４０Ａ〜図４０Ｃのものに類似するが、固定カムの代りに、ハウジング溝孔６７に挿入可能なばね２０３７を設けている。ヘッド部２０２０の両面に挿入されたばね部２０３７によって、壁支持体２０１６の開口２０１２内にスナップ固定具２０１０は固定されている。この状態を図６０Ａ〜図６０Ｃに示す。
【００８２】
薄い壁２０１４は若干大きな開口２０１３を有し、この開口に、ばね２０３７を自由に通すことができ、次に、図６１Ａ〜図６１Ｃに示すように、プッシュ素子２０２２によって、薄い壁２０１４を取り付けて、保持する。
【００８３】
図５７Ａ〜図５７Ｆ（図５７Ｅは拡大図）はプッシュ素子２０２２が外側に動いた閉止位置にある図５６によるスナップ固定具の種々の図面を示す。回転ノブ２０４３の翼部２０２９はハウジングの止め面６９に接触していて、プッシュ素子２０２２の切欠２０７８内に突出しており、回転ノブ２０４３を（第２止め面７１に接触するまで）９０度回転する時、プッシュ素子２０２２は引き戻されて、図５８Ｅに示す開放位置に達する。
【００８４】
図５８Ａ〜図５８Ｅはこの開放位置にある図５６によるスナップ固定具の種々の図面を示す。図５９はスナップ固定具を壁支持体に取り付ける前であって、スナップ固定具によって、薄い壁を壁支持体に取り付ける前の状態の図５６によるスナップ固定具の斜視図である。図６０Ａはスナップ固定具を壁支持体に取り付けた後であって、このスナップ固定具によって、薄い壁を壁支持体に取り付ける前の状態の図５６によるスナップ固定具の斜視図である。図６０Ｂ〜図６０Ｄは図６０Ａに示す状態の他の図面であり、図６１Ａはスナップ固定具を壁支持体に取り付けた後、薄い壁をスナップ固定具によって、壁支持体に取り付けた後の図５６によるスナップ固定具の斜視図を示す。図６１Ｂ〜図６１Ｄは図６１Ａに示す状態の他の図面である。
【００８５】
回転ノブ２０４３はフランジ７３を有し、このフランジ上に例えば赤い点、及び緑の点のような色のマーク７５、７７を付す。ハウジングの表面８１と、これにクリップ止めすることができるカバー８３との間に、このフランジを取り付ける。ハウジング（又はそのカバー８３）は切欠８５の形状のマークを有しており、ハウジングに対する回転のブの或る位置（例えば２つの端部位置）において、色付きの点、又は色付きの表面領域が見えるように、切欠、又は開口８５を配置して、このマークにより、プッシュ素子の作動位置（開放位置、閉止位置）を示すようにする。
【産業上の利用可能性】
【００８６】
本発明はスイッチキャビネット構造に産業上の利用可能性がある。
【図面の簡単な説明】
【００８７】
【図１Ａ】スイッチキャビネットのフレームに関節的に連結され、本発明により構成されたスナップ固定具により閉止位置に保持されるスイッチキャビネットドアを示す。
【図１Ｂ】本発明により構成されたスナップ固定具のためのドアフレーム内にドア扉に設けた開口の断面平面図である。
【図２】ベース部によって、ドアフレームに固定することができ、ドア閉鎖体として作用する図１Ａに使用した同様の構造のスナップ固定具の側面図である。
【図３Ａ】固定孔を設けた固定板によって形成されたベース部を有するスナップ固定具の斜視図である。
【図３Ｂ】固定孔を設けた固定板によって形成されたベース部を有するスナップ固定具の側面図である。
【図４】ベース部にねじボルトを形成した実施例の形態を示す。
【図５Ａ】相互に移動できるように配置された２個の板のための二つ折りＵ字状ハウジングの斜視図である。
【図５Ｂ】相互に移動できるように配置された２個の板のための二つ折りＵ字状ハウジングの前面図である。
【図５Ｃ】図５Ｂの断面Ｂ−Ｂに沿う軸線断面図である。
【図５Ｄ】図５Ａによるハウジングの平面図である。
【図６】ドアフレームにスナップ固定具を実現するため切除した側端縁と、開口とを設けた板を示す。
【図７Ａ】対称的な形状の三角形先端を有し、開口と、側端縁切欠とを設けた取付け板の斜視図である。
【図７Ｂ】対称的な形状の三角形先端を有し、開口と、側端縁切欠とを設けた取付け板の側面図である。
【図７Ｃ】対称的な三角形先端を有し、開口と、側端縁切欠とを設けた取付け板の平面図である。
【図８】対称的な三角形先端を有し、開口と、側端縁切欠とを設けた取付け板の三角形の一辺を凹形にした取付け板の平面図である。
【図９】先端がボール状で三角形の一辺が凸形である取付け板の平面図である。
【図１０Ａ】本発明により構成されたスナップ固定具を設けたキャビネット壁の図１Ａに類似する断面図である。
【図１０Ｂ】図１０ＡのＡ−Ａ線に沿う断面図を示す。
【図１０Ｃ】図１０Ａによる実施例の形態の平面図を示す。
【図１０Ｄ】図１０Ａによる構成の斜視図を示す。
【図１１Ａ】本発明スナップ固定具、及び陥凹ハンドル構成を設けたキャビネットの側壁を有する側フレームを示す。
【図１１Ｂ】図１１ＡのＥ−Ｅ線に沿う拡大断面図を示す。
【図１１Ｃ】図１１ＡのＤ−Ｄ線に沿う拡大断面図を示す。
【図１１Ｄ】図１１Ｂ、及び図１１Ｃによる本発明により構成されたスナップ固定具を有する図１１Ａによるフレームの斜視図を示す。
【図１２】ドア扉、及びそのスナップ固定具を設けたキャビネットのフレームの横断面図である。
【図１３Ａ】ドア扉の後面に溶接され、スナップ固定具のプッシュ板の端部を収容する開口を有するホルダを示すため、図１２によるキャビネットの平面図である。
【図１３Ｂ】ドア扉の後面に溶接され、スナップ固定具のプッシュ板の端部を収容する開口を有するホルダを示すため、図１２によるキャビネットの図１３ＡのＦ−Ｆ線に沿う断面図である。
【図１４Ａ】板とばねとを備える取扱いユニットを形成する構造を有するプッシュ板の実施例を示す。
【図１４Ｂ】図１４Ａの構成を異なる方向から示す。
【図１４Ｃ】図１４Ａの構成を異なる方向から示す。
【図１４Ｄ】図１４Ａの構成を異なる方向から示す。
【図１５Ａ】ベース部を板２１８によって形成したスナップ素子の断面図である。
【図１５Ｂ】ベース部を板２１８によって形成したスナップ素子の側面図である。
【図１６Ａ】ベース板を板２１８によって形成したスナップ素子の断面図である。
【図１６Ｂ】ベース板を板２１８によって形成したスナップ素子の側面図である。
【図１６Ｃ】板を固着するため内方に向く突起をプレスする工具と、図１６Ａによるハウジングとを示す。
【図１７Ａ】図２のスナップ固定具と類似するが薄板金属を使用している形式のスナップ固定具の断面図である。
【図１７Ｂ】薄板金属を使用した図１Ａの構成に類似する構成を示す。
【図１７Ｃ】クリップ連結部を有する関連するハウジングを示す。
【図１７Ｄ】図１７Ａによるハウジングに導入することができる板の断面図である。
【図１８】図１７Ｃのハウジングに類似するが、板のための突出案内を有するハウジングを示す。
【図１９Ａ】射出成形によって製造したハウジングの側面図である。
【図１９Ｂ】射出成形によって製造したハウジングの図１９Ａとは異なる側面図である。
【図１９Ｃ】関連する板の平面図である。
【図１９Ｄ】関連する板の側面図である。
【図２０】射出成形で製造した図１８のハウジングに類似するハウジングを示す。
【図２１Ａ】螺着され、特に安定したホルダを有する図１５Ａ、図１５Ｂによる構成を示す。
【図２１Ｂ】螺着され、特に安定したホルダを有する図１５Ａ、図１５Ｂによる構成を示す。
【図２１Ｃ】２対の板を設けた状態を示し、図２１Ａによる実施例の形態の後方から見た図である。
【図２２Ａ】板を並べず、一方を他方の後方に配置した図２１Ａの構成に類似する構成を示す図である。
【図２２Ｂ】図２２Ａによる実施形態の側面図である。
【図２２Ｃ】図２２Ａによる実施形態の平面図である。
【図２３Ａ】ばねを有する関連する短縮板を示す。
【図２３Ｂ】図２３Ａの短縮板を異なる方向から示す。
【図２３Ｃ】図２３Ａの短縮板を異なる方向から示す。
【図２３Ｄ】図２３Ａの短縮板を異なる方向から示す。
【図２４Ａ】代案の特に安定するスナップ素子を示す図である。
【図２４Ｂ】図２４Ａのスナップ素子を異なる方向から示す図である。
【図２４Ｃ】図２４Ａのスナップ素子を異なる方向から示す図である。
【図２５Ａ】ストッパ、又はプラグによって、ロックされ、キーによってアンロックされるスナップ素子の図面を示す。
【図２５Ｂ】図２５Ａのスナップ素子の異なる方向からの図面を示す。
【図２５Ｃ】図２５Ａのスナップ素子の異なる方向からの図面を示す。
【図２６Ａ】関連するプッシュ板の図面を示す。
【図２６Ｂ】図２６Ａのプッシュ板の異なる方向からの図面を示す。
【図２７Ａ】関連するプッシュ板の図面を示す。
【図２７Ｂ】図２７Ａのプッシュ板の異なる方向からの図面を示す。
【図２７Ｃ】図２７Ａのプッシュ板の異なる方向からの図面を示す。
【図２８Ａ】取り付けられたばねを有する実施例の形態を示す。
【図２８Ｂ】図２８Ａの形態を異なる図面で示す。
【図２８Ｃ】図２８Ａの形態を異なる図面で示す。
【図２８Ｄ】図２８Ａの形態を異なる図面で示す。
【図２９Ａ】関連する板を示す。
【図２９Ｂ】付随するばねを示す。
【図２９Ｃ】関連する板と、付随するばねとを示す。
【図３０Ａ】他の実施例の形態を示す。
【図３０Ｂ】図３０Ａの実施例の形態を示す。
【図３１】関連するハウジングを示す。
【図３２Ａ】関連する板を示す。
【図３２Ｂ】図３２Ａの板を示す。
【図３３Ａ】他の実施例を示す。
【図３３Ｂ】図３３Ａの実施例を示す。
【図３４Ａ】キーによってアンロックすることができる図２の実施例に類似する実施例を示す。
【図３４Ｂ】図３４Ａの実施例を示す。
【図３４Ｃ】図３４Ａの実施例を示す。
【図３４Ｄ】図３４Ａの実施例を示す。
【図３５】薄い壁の関連する開口を示す。
【図３６】外側から開放することができる適用例を示す。
【図３７】後側から開放することができる対応する適用例を示す。
【図３８Ａ】図４１Ａ、及び図４１Ｂによるハウジングを使用する薄い壁、及び壁支持体のための開口を示す。
【図３８Ｂ】図４１Ａ、及び図４１Ｂによるハウジングを使用する薄い壁、及び壁支持体のための開口を示す。
【図３９Ａ】図４０Ａ〜図４０Ｃによる実施例のための対応する開口を示す。
【図３９Ｂ】図４０Ａ〜図４０Ｃによる実施例のための対応する開口を示す。
【図４０Ａ】ハウジング壁によって形成された壁支持体のクリップ突起によってロックできるハウジングを示す。
【図４０Ｂ】図４０Ａのハウジングを異なる図面にて示す。
【図４０Ｃ】図４０Ａのハウジングを異なる図面にて示す。
【図４０Ｄ】図４０Ａのハウジングを異なる図面にて示す。
【図４１Ａ】他の対応する形状を示す。
【図４１Ｂ】図４１Ａの形状を異なる図面にて示す。
【図４２】図４０Ａ〜図４０Ｄによるハウジングの軸線断面を示す。
【図４３Ａ】グリップを採用した他の実施例の形態を示す。
【図４３Ｂ】図４３Ａの実施例の形態を示す。
【図４４】ホイールによってアンロックすることができる実施例についての適用例の断面図を示す。
【図４５Ａ】自己ロック性の固定具と、自己ロック性でない固定具とを個々のハウジング内に配置したグリップを有する実施例の形態を示す。
【図４５Ｂ】図４５Ａの実施例の形態を異なる方向から示す。
【図４５Ｃ】図４５Ａの実施例の形態を異なる方向から示す。
【図４６】自己ロック性の固定具と、自己ロック性でない固定具とを同一のハウジング内の異なる平面に配置した図４５に類似する実施例の形態を示す。
【図４７】図４５Ａ〜図４５Ｃによる実施例の形態のための関連する開口の形状を示す。
【図４８Ａ】図４５Ａ、及び図４５Ｂによる実施例の形態のために適する自己ロック性の板の前面図を示す。
【図４８Ｂ】図４５Ａ、及び図４５Ｂによる実施例の形態のために適する自己ロック板の側面図を示す。
【図４８Ｃ】自己ロックでない板の同様の図面である。
【図４９Ａ】自己ロック板の他の代案を示す。
【図４９Ｂ】図４９Ａの自己ロック板を示す。
【図４９Ｃ】図４９Ａの自己ロック板を示す。
【図５０Ａ】ブラケットとして使用できる本発明により構成したスナップ固定具を示す。
【図５０Ｂ】ブラケットとして使用できる本発明により構成したスナップ固定具を示す。
【図５０Ｃ】ブラケットとして使用できる本発明により構成したスナップ固定具を示す。
【図５１Ａ】２個の薄い壁のコネクタとして構成した一実施例の縦断面図を示す。
【図５１Ｂ】２個の薄い壁のコネクタとして構成した一実施例の横断面図を示す。
【図５２Ａ】図５１Ａによるコネクタの側面図を示す。
【図５２Ｂ】図５１Ａによるコネクタの平面図である。
【図５３】壁をまだ連結していない図５１Ｂのものに類似する実施例を示す。
【図５４】薄い壁の平面に平行な軸線の周りに回転し得る保持素子を有するスナップ固定具の側面図である。
【図５５Ａ】薄い壁に垂直に延びる軸線の周りに回転し得る保持素子を有するスナップ固定具の側面図である。
【図５５Ｂ】薄い壁に垂直に延びる軸線の周りに回転し得る保持素子を有するスナップ固定具の側面図である。
【図５５Ｃ】薄い壁に垂直に延びる軸線の周りに回転し得る保持素子を有するスナップ固定具の側面図である。
【図５６】固定カムの代りに、挿入可能なばねを設けた図４０Ａ〜図４０Ｃに示すものに類似するスナップ固定具の分解図を示す。
【図５７Ａ】閉止位置にある図５６によるスナップ固定具の図面を示す。
【図５７Ｂ】閉止位置にある図５６によるスナップ固定具の図面を示す。
【図５７Ｃ】閉止位置にある図５６によるスナップ固定具の図面を示す。
【図５７Ｄ】閉止位置にある図５６によるスナップ固定具の図面を示す。
【図５７Ｅ】閉止位置にある図５６によるスナップ固定具の図面を示す。
【図５７Ｆ】閉止位置にある図５６によるスナップ固定具の図面を示す。
【図５８Ａ】開放位置にある図５６によるスナップ固定具の図面を示す。
【図５８Ｂ】開放位置にある図５６によるスナップ固定具の図面を示す。
【図５８Ｃ】開放位置にある図５６によるスナップ固定具の図面を示す。
【図５８Ｄ】開放位置にある図５６によるスナップ固定具の図面を示す。
【図５８Ｅ】開放位置にある図５６によるスナップ固定具の図面を示す。
【図５９】スナップ固定具を壁支持体に取り付ける前であって、薄い壁をスナップ固定具によって、壁支持体に取り付ける前の図５６によるスナップ固定具の斜視図である。
【図６０Ａ】スナップ固定具を壁支持体に取り付けた後であって、薄い壁をスナップ固定具によって、壁支持体に取り付ける前の図５６によるスナップ固定具の斜視図である。
【図６０Ｂ】図６０Ａに示す状態の他の図面を示す。
【図６０Ｃ】図６０Ａに示す状態の他の図面を示す。
【図６０Ｄ】図６０Ａに示す状態の他の図面を示す。
【図６１Ａ】スナップ固定具を壁支持体に取り付けた後に、薄い壁をスナップ固定具によって、壁支持体に取り付けた後の図５６によるスナップ固定具の斜視図である。
【図６１Ｂ】図６１Ａに示す状態を示す他の図面である。
【図６１Ｃ】図６１Ａに示す状態を示す他の図面である。
【図６１Ｄ】図６１Ａに示す状態を示す他の図面である。
【符号の説明】
【００８８】
１０、１１０、２１０、３１０〜２０１０  スナップ固定具、連結部
１１  ヒンジ
１２、１１２、１１１２、１２１２、１７１２、２０１２  壁支持体の開口
１３、１１３、１２１３、１３１３、１７１３、２０１３  薄い壁の開口、めす形プラグイン部分
１４、１１４、７１４、９１４、１３１４、１５１４、１７１４、２０１４  薄い壁
１５、１１５  グリップ、ハンドル、陥凹ハンドル
１６、８１６、１１１６、１２１６、１３１６、１７１６、１８１６、２０１６  壁支持体
１７、８１７  ウェブ、薄い壁
１８、１１８、２１８、３１８、４１８、６１８、１６１８、１７１８、２０１８  フランジ、ベース部、ベース板、底板、固定板
１１９、２１９、３１９  ボルト、孔、ベース部
２０、３２０、７２０、１０２０、１７２０、２０２０  ヘッド部、おす形プラグイン部分
２１  開口
２２、１２２、３２２、４２２、６２２、７２２、８２２、９２２、１０２２、１１２２、１３２２、１５２２、１７２２、１７２２′、１８２２、２０２２  保持素子、プッシュ素子、板
２３、１２３、２２３、３２３、４２３、１５２３  プッシュ素子、保持素子
２４、４２４、１７２４、１７２４′  屋根形、傾斜が急な傾斜面
２５、２５′  三角形の辺、傾斜面
２６  屋根形、平坦部
２７、２７′  三角形の辺、傾斜面
２８、７２８、８２８、９２８、１０２８、１７２８、２０２８  ばね素子
２９、２０２９  工具
３０  軸線
３３１  反転折り畳み
３２  開口
３３  案内、通路、
３４、１１３４  案内、通路
３５、９３５、１３３５、１７３５  ハウジング
３６  開口の端縁
３７、２０３７  固定カム、ばね部分、ばね素子
３８  端面、止め面
３９  端面、止め面
４０  ねじ
４１  肩部
４２、３４２、４４２、５４２  肩部、突起、ピン
４３、２０４３  回転ノブ、キー
４４  頭無しねじ
４５  グリップ装置
４６、１４６  開口
４７  開口
４８  底面
４９  ヘッド部の直径、移動方向
５０  ポケット孔
５１  プッシュ素子の突出端
５２  端縁
５３  保持素子の突出端
５４、１０５４  溝孔空間
５６  端縁
５７  支持肩部
５８  アーム
５９  切欠
３６０  止め面
６１  ウェブ
６２  側面
６４  凹所
６６、１７６６  プラグ、肩部、突起、ピン
６７  ハウジング溝孔
６８  キー
６９  止め面
７０  傾斜面
７１  止め面
７２  通路壁
７３  フランジ
７４、１２７４  孔
７５  色のマーク
７６  通路カバー
７７  色のマーク
７８  凹所区域
７９、１７７９  切欠、凹所
８０  側部
８１  表面
８２  端面
８３  カバー
８４、１０８４  収容空間
８５  切欠
８６、１８６  結節、突起
８８  真っ直ぐな端縁
９０  ランインスロープ
Ａ  距離
Ｂ  部分
【図１Ａ】
2007524018.tif 000003
【図１Ｂ】
2007524018.tif 000004
【図２】
2007524018.tif 000005
【図３Ａ】
2007524018.tif 000006
【図３Ｂ】
2007524018.tif 000007
【図４】
2007524018.tif 000008
【図５Ａ】
2007524018.tif 000009
【図５Ｂ】
2007524018.tif 000010
【図５Ｃ】
2007524018.tif 000011
【図５Ｄ】
2007524018.tif 000012
【図６】
2007524018.tif 000013
【図７Ａ】
2007524018.tif 000014
【図７Ｂ】
2007524018.tif 000015
【図７Ｃ】
2007524018.tif 000016
【図８】
2007524018.tif 000017
【図９】
2007524018.tif 000018
【図１０Ａ】
2007524018.tif 000019
【図１０Ｂ】
2007524018.tif 000020
【図１０Ｃ】
2007524018.tif 000021
【図１０Ｄ】
2007524018.tif 000022
【図１１Ａ】
2007524018.tif 000023
【図１１Ｂ】
2007524018.tif 000024
【図１１Ｃ】
2007524018.tif 000025
【図１１Ｄ】
2007524018.tif 000026
【図１２】
2007524018.tif 000027
【図１３Ａ】
2007524018.tif 000028
【図１３Ｂ】
2007524018.tif 000029
【図１４Ａ】
2007524018.tif 000030
【図１４Ｂ】
2007524018.tif 000031
【図１４Ｃ】
2007524018.tif 000032
【図１４Ｄ】
2007524018.tif 000033
【図１５Ａ】
2007524018.tif 000034
【図１５Ｂ】
2007524018.tif 000035
【図１６Ａ】
2007524018.tif 000036
【図１６Ｂ】
2007524018.tif 000037
【図１６Ｃ】
2007524018.tif 000038
【図１７Ａ】
2007524018.tif 000039
【図１７Ｂ】
2007524018.tif 000040
【図１７Ｃ】
2007524018.tif 000041
【図１７Ｄ】
2007524018.tif 000042
【図１８】
2007524018.tif 000043
【図１９Ａ】
2007524018.tif 000044
【図１９Ｂ】
2007524018.tif 000045
【図１９Ｃ】
2007524018.tif 000046
【図１９Ｄ】
2007524018.tif 000047
【図２０】
2007524018.tif 000048
【図２１Ａ】
2007524018.tif 000049
【図２１Ｂ】
2007524018.tif 000050
【図２１Ｃ】
2007524018.tif 000051
【図２２Ａ】
2007524018.tif 000052
【図２２Ｂ】
2007524018.tif 000053
【図２２Ｃ】
2007524018.tif 000054
【図２３Ａ】
2007524018.tif 000055
【図２３Ｂ】
2007524018.tif 000056
【図２３Ｃ】
2007524018.tif 000057
【図２３Ｄ】
2007524018.tif 000058
【図２４Ａ】
2007524018.tif 000059
【図２４Ｂ】
2007524018.tif 000060
【図２４Ｃ】
2007524018.tif 000061
【図２５Ａ】
2007524018.tif 000062
【図２５Ｂ】
2007524018.tif 000063
【図２５Ｃ】
2007524018.tif 000064
【図２６Ａ】
2007524018.tif 000065
【図２６Ｂ】
2007524018.tif 000066
【図２７Ａ】
2007524018.tif 000067
【図２７Ｂ】
2007524018.tif 000068
【図２７Ｃ】
2007524018.tif 000069
【図２８Ａ】
2007524018.tif 000070
【図２８Ｂ】
2007524018.tif 000071
【図２８Ｃ】
2007524018.tif 000072
【図２８Ｄ】
2007524018.tif 000073
【図２９Ａ】
2007524018.tif 000074
【図２９Ｂ】
2007524018.tif 000075
【図２９Ｃ】
2007524018.tif 000076
【図３０Ａ】
2007524018.tif 000077
【図３０Ｂ】
2007524018.tif 000078
【図３１】
2007524018.tif 000079
【図３２Ａ】
2007524018.tif 000080
【図３２Ｂ】
2007524018.tif 000081
【図３３Ａ】
2007524018.tif 000082
【図３３Ｂ】
2007524018.tif 000083
【図３４Ａ】
2007524018.tif 000084
【図３４Ｂ】
2007524018.tif 000085
【図３４Ｃ】
2007524018.tif 000086
【図３４Ｄ】
2007524018.tif 000087
【図３５】
2007524018.tif 000088
【図３６】
2007524018.tif 000089
【図３７】
2007524018.tif 000090
【図３８Ａ】
2007524018.tif 000091
【図３８Ｂ】
2007524018.tif 000092
【図３９Ａ】
2007524018.tif 000093
【図３９Ｂ】
2007524018.tif 000094
【図４０Ａ】
2007524018.tif 000095
【図４０Ｂ】
2007524018.tif 000096
【図４０Ｃ】
2007524018.tif 000097
【図４０Ｄ】
2007524018.tif 000098
【図４１Ａ】
2007524018.tif 000099
【図４１Ｂ】
2007524018.tif 000100
【図４２】
2007524018.tif 000101
【図４３Ａ】
2007524018.tif 000102
【図４３Ｂ】
2007524018.tif 000103
【図４４】
2007524018.tif 000104
【図４５Ａ】
2007524018.tif 000105
【図４５Ｂ】
2007524018.tif 000106
【図４５Ｃ】
2007524018.tif 000107
【図４６】
2007524018.tif 000108
【図４７】
2007524018.tif 000109
【図４８Ａ】
2007524018.tif 000110
【図４８Ｂ】
2007524018.tif 000111
【図４８Ｃ】
2007524018.tif 000112
【図４９Ａ】
2007524018.tif 000113
【図４９Ｂ】
2007524018.tif 000114
【図４９Ｃ】
2007524018.tif 000115
【図５０Ａ】
2007524018.tif 000116
【図５０Ｂ】
2007524018.tif 000117
【図５０Ｃ】
2007524018.tif 000118
【図５１Ａ】
2007524018.tif 000119
【図５１Ｂ】
2007524018.tif 000120
【図５２Ａ】
2007524018.tif 000121
【図５２Ｂ】
2007524018.tif 000122
【図５３】
2007524018.tif 000123
【図５４】
2007524018.tif 000124
【図５５Ａ】
2007524018.tif 000125
【図５５Ｂ】
2007524018.tif 000126
【図５５Ｃ】
2007524018.tif 000127
【図５６】
2007524018.tif 000128
【図５７Ａ】
2007524018.tif 000129
【図５７Ｂ】
2007524018.tif 000130
【図５７Ｃ】
2007524018.tif 000131
【図５７Ｄ】
2007524018.tif 000132
【図５７Ｅ】
2007524018.tif 000133
【図５７Ｆ】
2007524018.tif 000134
【図５８Ａ】
2007524018.tif 000135
【図５８Ｂ】
2007524018.tif 000136
【図５８Ｃ】
2007524018.tif 000137
【図５８Ｄ】
2007524018.tif 000138
【図５８Ｅ】
2007524018.tif 000139
【図５９】
2007524018.tif 000140
【図６０Ａ】
2007524018.tif 000141
【図６０Ｂ】
2007524018.tif 000142
【図６０Ｃ】
2007524018.tif 000143
【図６０Ｄ】
2007524018.tif 000144
【図６１Ａ】
2007524018.tif 000145
【図６１Ｂ】
2007524018.tif 000146
【図６１Ｃ】
2007524018.tif 000147
【図６１Ｄ】
2007524018.tif 000148
【国際調査報告】
2007524018.tif 000149
2007524018.tif 000150
2007524018.tif 000151
2007524018.tif 000152
2007524018.tif 000153
2007524018.tif 000154